(57)【要約】【課題】画像処理装置の多機能化が進むにつれて、ジョブの処理条件を設定するための設定操作が煩雑化し、使い勝手が悪くなる。【解決手段】複数の機能（プリント機能、コピー機能、スキャン機能、ファクス機能）を備える画像処理装置の構成として、複数の設定項目の中からジョブの処理条件を設定可能なコントロールパネル２と、ジョブの処理条件をジョブ単位で指定する複数の指定情報を含むシート媒体の画像を読み取る画像読取部３と、この画像読取部３で読み取られたシート媒体の画像情報から複数の指定情報を抽出する画像処理部６と、この画像処理部６で抽出された複数の指定情報が指定する複数のジョブの処理条件を選択候補とした選択画面をコントロールパネル２の表示部に表示させる制御部１とを備える。【選択図】図１
2005316053.tif 000002
【特許請求の範囲】
【請求項１】
複数の設定項目の中からジョブの処理条件を設定可能な操作手段と、
前記ジョブの処理条件をジョブ単位で指定する複数の指定情報を含むシート媒体の画像を読み取る読取手段と、
前記読取手段で読み取られた前記シート媒体の画像情報から前記複数の指定情報を抽出する抽出手段と、
前記抽出手段で抽出された前記複数の指定情報が指定する複数のジョブの処理条件を選択候補とした選択画面を前記操作手段の表示部に表示させる制御手段と
を備えることを特徴とする画像処理装置。
【請求項２】
前記指定情報をコード情報によって構成するとともに、当該コード情報と前記設定項目毎の設定条件とを対応付けたデータテーブルを記憶する記憶手段を備え、
前記制御手段は、前記抽出手段で抽出された前記コード情報に対応する前記設定条件を前記記憶手段から読み出して、当該設定条件に基づくジョブの処理条件を前記選択候補として前記表示部に表示させる
ことを特徴とする請求項１記載の画像処理装置。
【請求項３】
前記制御手段は、前記指定情報が指定する前記ジョブの処理条件の選択用途を示す文字情報を前記選択画面に表示させる
ことを特徴とする請求項１記載の画像処理装置。
【請求項４】
前記制御手段は、前記指定情報が指定する前記ジョブの処理条件の設定内容を示す文字情報を前記選択画面に表示させる
ことを特徴とする請求項１記載の画像処理装置。
【請求項５】
前記操作手段で設定された前記ジョブの処理条件をジョブ単位で指定する複数の指定情報を含む画像をシート媒体にプリント出力する手段を具備する
ことを特徴とする請求項１記載の画像処理装置。
【請求項６】
前記操作手段で設定された前記ジョブの処理条件のうち、予め設定された基準レベルよりも使用頻度の高いジョブの処理条件を記憶しておき、この記憶したジョブの処理条件をジョブ単位で指定する複数の指定情報を含む画像をシート媒体にプリント出力する手段を具備する
ことを特徴とする請求項１記載の画像処理装置。
【発明の詳細な説明】
【技術分野】
【０００１】
本発明は、画像処理装置に関し、特に、複数の処理機能を備えるデジタル複合機などの画像処理装置に関する。
【背景技術】
【０００２】
従来の画像処理装置の中には、例えば、プリント機能、コピー機能、スキャン機能、ファクス機能など、複数の処理機能を兼ね備えた、ＭＦＰ(Multi Function Product)と呼ばれるデジタル複合機がある。この種の画像処理装置では、各々の処理機能に対応した複数の処理モード（プリントモード、コピーモード、スキャンモード、ファクスモードなど）を有し、この中からユーザがいずれか１つの処理モードを任意に選択できるようになっている。具体的には、画像処理装置が備える複数の処理モードをコントロールパネルに表示し、その中からユーザが所望の処理モードを入力操作（ボタン操作等）によって選択できるようになっている。
【０００３】
ここで、コピー機のように単一の処理機能を有する画像処理装置の場合は、処理条件を設定するための設定項目がコピー用途に限定されるため、コントロールパネルでの設定操作自体がそれほど面倒なものとはならない。これに対して、例えば、プリント機能、コピー機能及びスキャン機能を備える画像処理装置（複合機）の場合は、最初にどの処理モードで処理するかを設定し、さらにその設定した処理モードに関して、必要に応じて細かな項目（例えば、コピーモードであればコピー濃度やコピー倍率など）を設定する必要がある。
【０００４】
近年では、画像処理装置（ＭＦＰ）が多機能化し、それに伴ってコントロールパネルの操作も煩雑になってきている。また一般に、コントロールパネルに表示される処理条件設定用の画面は複数の層に階層化されている。そのうち、最上層は、例えば処理モードを設定するためのモード設定画面、その下の階層は、例えば各処理モードで基本的な設定項目を設定するための基本設定画面、さらにその下の階層は、例えば各処理モードでオプション的な設定項目を設定するためのオプション設定画面となっている。したがって、例えば、原稿の画像をコピーしたい場合は、処理モードとしてコピーモードを選択することになるが、このコピーモードに適用する用紙のサイズやコピー濃度、コピー倍率、コピーレイアウトなどを設定する場合は、コピーモード用に用意された基本設定画面やオプション設定画面をコントロールパネルに表示し、当該設定画面にしたがって所望の処理条件を設定する必要がある。また、一度設定した処理条件を変更する場合は、その都度、上下の階層を行き来して処理条件を設定し直す必要がある。したがって、コントロールパネルでの設定操作が面倒なものとなる。
【０００５】
そこで画像処理装置には、各々の処理モードごとにデフォルトの処理条件を用意しておき、上記最上層のモード設定画面でユーザが所望の処理モードに設定して処理開始ボタンを押したときに、この処理モードに対応して用意されたデフォルトの処理条件を自動的に選択して実行する自動処理モードも用意されているが、この自動処理モードと異なる条件で処理を行う場合は、上記基本設定画面やオプション設定画面をコントロールパネルに表示して所望の処理条件に設定する必要がある。さらに、画像処理装置が備える各々の処理モードで実行される処理機能が多機能化すると、それに伴って処理条件の設定項目も増えるため、処理条件の設定操作がますます煩雑化して使い勝手が悪くなる。
【０００６】
一方、オフィス内で定形業務を担当するユーザは、その業務内容に応じて日常的に同じ処理条件で画像処理装置を使用する機会が多い。しかし、そうした状況でも、ユーザが利用する処理条件はユーザ（担当業務）ごとに異なるため、個々のユーザは画像処理装置を使用するたびに同様の設定操作を行って処理条件を設定し直す必要がある。したがって、デフォルト以外の処理条件を利用するユーザには面倒な設定操作を何度も強いることになる。この対策としては、画像処理装置の納入先となる顧客ごとにコントロールパネルをカスタマイズして操作性を高めることも考えられるが、そうした場合は個々の顧客の要求に合わせてコントロールパネルを開発する必要があるため、コストアップを招いてしまう。
【０００７】
そこで従来においては、コピー用の原稿の先頭位置に置かれたジョブシートを読み取り、このジョブシートに記入されたコピー条件に応じて当該ジョブシートに続く原稿をコピー処理するマルチジョブ複写機に関する技術が提案されている（特許文献１参照）。この従来技術では、ユーザがコントロールパネル上でコピー条件を設定しなくても、ジョブシートに記入されたコピー条件にしたがって原稿のコピー処理が行われるため、ユーザの操作負担を軽減することができる。
【０００８】
【特許文献１】特開平５−２７５２２号公報
【発明の開示】
【発明が解決しようとする課題】
【０００９】
しかしながら上記従来技術においては、コピー用の原稿とその先頭位置のジョブシートに記入されたコピー条件とが１：１で対応し、ジョブシートに記入されたコピー条件が、これに続いて読み取られる原稿のコピー処理にそのまま適用されるものとなっている。そのため、ジョブシートに記入されたコピー条件の適用範囲が非常に狭く、日常の業務の中で汎用的に使用できるものではなかった。
【課題を解決するための手段】
【００１０】
本発明に係る画像処理装置は、複数の設定項目の中からジョブの処理条件を設定可能な操作手段と、ジョブの処理条件をジョブ単位で指定する複数の指定情報を含むシート媒体の画像を読み取る読取手段と、この読取手段で読み取られたシート媒体の画像情報から複数の指定情報を抽出する抽出手段と、この抽出手段で抽出された複数の指定情報が指定する複数のジョブの処理条件を選択候補とした選択画面を操作手段の表示部に表示させる制御手段とを備えるものである。
【００１１】
本発明に係る画像処理装置においては、複数の指定情報を含むシート媒体の画像を読取手段で読み取るとともに、これによって得られた画像情報から複数の指定情報を抽出手段で抽出して、それら複数の指定情報が指定する複数のジョブの処理条件を選択候補とした選択画面を制御手段が操作手段の表示部に表示させることにより、ユーザは、それらの選択候補の中から、所望の処理内容に適したジョブの処理条件を選択して設定することが可能となる。
【発明の効果】
【００１２】
本発明の画像処理装置によれば、複数の指定情報を含むシート媒体の画像を読み取って、その画像情報から複数の指定情報を抽出し、当該複数の指定情報が指定する複数のジョブの処理条件を選択候補とした選択画面を表示部に表示させるため、ユーザは、同じシート媒体を汎用的に使用して、ジョブの処理条件を簡易に設定することができる。
【発明を実施するための最良の形態】
【００１３】
以下、本発明の具体的な実施の形態について図面を参照しつつ詳細に説明する。
【００１４】
図１は本発明の実施形態に係る画像処理装置の構成例を示すブロック図である。図１において、制御部１は、例えば制御用のプログラムを実行するプロセッサによって構成されるもので、画像処理装置全体の処理動作を統括的に制御するものである。
【００１５】
コントロールパネル２は、画像処理装置を使用するユーザとの間で各種の情報の受け渡しを行うユーザインタフェースとなるもので、例えばタッチパネル式の液晶ディスプレイを用いた表示部と、入力操作のための各種のボタン、キー、スイッチ、タブ等（以下、まとめて「ボタン」と記す）を用いた入力部とによって構成されるものである。このコントロールパネル２は、上記入力部（操作用のボタン）及び表示部（タッチパネル式の液晶ディスプレイ）を用いてユーザが各種の入力操作を行ったり、上記表示部を用いてユーザに各種の情報を表示したりするためのものである。
【００１６】
コントロールパネル２は、予め用意された複数の設定項目の中からジョブの処理条件を設定するための操作手段となる。具体的な設定操作は、コントロールパネル（入力部、表示部）２を用いてユーザにより行われる。ジョブの設定条件とは、１つのジョブ（例えば、プリントジョブ、コピージョブ、スキャンジョブ、ファクスジョブのいずれかに該当するジョブ）を実行するときに適用される処理条件をいう。例えば、コピージョブを実行する場合は、これに適用される処理条件として、処理モードをコピーモードに設定するのに合わせて、コピー濃度、用紙サイズ、コピー部数、コピー倍率などが設定される。
【００１７】
このようにジョブの処理条件を設定するにあたっては、設定対象となる項目が複数存在する。具体的には、処理モード（プリントモード、コピーモード、スキャンモード、ファクスモードなど）の他に、例えば、色モード（カラー、白黒、自動選択など）、用紙（用紙のサイズ、向きなど）、処理面モード（片面モード、両面モード）、画質モード（高画質、普通画質など）、解像度、濃度（プリント濃度、コピー濃度など）、倍率（コピー倍率など）、画像データのファイル形式、画像データの格納場所、レイアウトモード（１ｉｎ１、２ｉｎ１、４ｉｎ１など）などの設定項目がある。こうした設定項目は、コントロールパネル２上で入力部を用いたユーザの入力操作に合わせて表示部の画面内に適宜表示される。
【００１８】
ちなみに、上述した色モード及び処理面モードは、画像読取部３で原稿の画像をスキャンするときや、画像形成部４で用紙に画像をプリント出力するときに適用されるモードである。また、レイアウトモードにおける「１ｉｎ１」は１枚の原稿の画像を１枚の用紙にレイアウトするモードであり、「２ｉｎ１」は２枚の原稿の画像を１枚の用紙に並べてレイアウトするモードであり、「４ｉｎ１」は４枚の原稿の画像を１枚の用紙に並べてレイアウトするモードである。
【００１９】
本発明の実施形態に係る画像処理装置は、機能別の処理モードとして、プリントモード、コピーモード、スキャンモード、ファクスモードといった４つの処理モードを備えている。そのため、コントロールパネル２には、４つの処理モードの中からいずれか１つの処理モードを選択して設定するためのボタンや、各々の処理モードで処理するときの条件を設定（選択）するためのボタンなどが設けられる。また、コントロールパネル２には、後述するシート媒体を用いて処理条件の設定を行うモード（以下、シート利用設定モード）を選択するためのボタンも設けられている。
【００２０】
画像読取部３は、例えばカラースキャナによって構成されるもので、原稿あるいは原稿以外のシート媒体に記録された画像を光学的に読み取るものである。
【００２１】
画像形成部４は、例えばカラープリンタによって構成されるもので、プリント対象とされた画像を用紙にプリント出力するものである。
【００２２】
通信部５は、例えばファクスモデムによって構成されるもので、送信対象とされた画像のデータ（ファクシミリデータ）を指定の宛先に電話回線を通して送信したり、自装置宛に送信された画像を受信したりするものである。
【００２３】
画像処理部６は、例えば画像処理用のプログラムを実行するプロセッサによって構成されるもので、画像読取部３で読み取られた画像データや他の画像データに所定の画像処理を施すものである。
【００２４】
記憶部７は、例えばハードディスクドライブによって構成されるもので、画像処理装置で取り扱う各種のデータ、情報を記憶保持するものである。
【００２５】
なお、図示はしないが、例えばネットワークインタフェース、カードリーダ、フロッピー（登録商標）ディスクドライブ等からなるデータ入力部を画像処理装置に設け、このデータ入力部から、ネットワーク回線を介して受信した画像データや、メモリカードなどの記録媒体に記録された画像データ（例えば、デジタルカメラで撮影した画像データなど）を画像処理装置に入力する構成を採用することも可能である。
【００２６】
図２は本発明の適用対象となる画像処理装置の外観を示す図である。この画像処理装置は、大きくは、スキャナ部１１とプリンタ本体部１２とによって構成されている。このうち、スキャナ部１１は、例えば上記制御部１、コントロールパネル２、画像読取部３、通信部５、画像処理部６及び記憶部７を含み、プリンタ本体部１２は、上記画像形成部４とともに、脱着式の複数の用紙カセット１３，１４，１５，１６と、手差しトレイ１７と、各々の用紙カセットに収容された用紙又は手差しトレイ１７にセットされた用紙を所定の搬送経路に沿って搬送する用紙搬送機構（不図示）とを含むものである。
【００２７】
続いて、本発明の実施形態に係る画像処理装置の処理動作について説明する。まず、画像処理装置を使用するユーザは、コントロールパネル２を操作して所定のモードを選択する。このとき、コントロールパネル２を用いて、プリントモード、コピーモード、スキャンモード、ファクスモードの中から、いずれか１つの処理モードをユーザがボタン操作で選択した場合は、この選択した処理モードがコントロールパネル２から制御部１に通知される。そうすると、制御部１では、先に選択された処理モードをジョブの処理条件の１つとして設定するとともに、この処理モードで処理するときの条件を設定するための設定画面（基本設定画面、オプション設定画面等）をコントロールパネル２の表示部に表示させる。
【００２８】
続いて、ユーザがコントロールパネル２を用いて、先に設定した処理モードに適用したい設定項目（例えば、コピー濃度、用紙サイズなど）をボタン操作によって設定すると、その設定情報がコントロールパネル２から制御部１に通知される。この場合、制御部１は、コントロールパネル２から通知される設定情報に基づいてジョブの処理条件を設定する。また、ユーザが処理モード以外の処理条件を設定せずにコントロールパネル２の処理開始ボタンを押すと、制御部１は、先に設定した処理モードに対応して予め用意されたデフォルトの条件にしたがってジョブの処理条件を設定する。
【００２９】
その後、制御部１は、先に設定したジョブの処理条件に応じて各部の処理動作を制御する。これにより、図３に示すように、処理モードをプリントモードに設定した場合は、プリント対象となる画像データを例えば記憶部７から読み出して画像処理部６に転送し、この画像処理部６で所定の画像処理を施した後、画像形成部４に画像データを送って用紙に画像をプリント出力する。また、処理モードをコピーモードに設定した場合は、コピー対象となる原稿の画像を画像読取部３で読み取るとともに、この読み取った画像データを画像処理部６に送り、この画像処理部６で所定の画像処理を施した後、画像形成部４に画像データを送って用紙に画像をプリント出力する。
【００３０】
一方、処理モードをスキャンモードに設定した場合は、スキャン対象となる原稿の画像を画像読取部３で読み取るとともに、この読み取った画像データを画像処理部６に送り、この画像処理部６で所定の画像処理を施した後、記憶部７に画像データを記憶する。また、処理モードをファクスモードに設定した場合は、ファクス対象となる原稿の画像を画像読取部３で読み取るとともに、この読み取った画像データを画像処理部６に送り、この画像処理部６で所定の画像処理を施した後、通信部５から画像データを送信する。以上は、処理モードをはじめとする各種の設定項目の中からユーザがコントロールパネル２でジョブの処理条件を設定した場合の処理の流れである。
【００３１】
これに対して、ユーザが処理条件設定用のシート媒体を画像読取部３にセットしてコントロールパネル２のボタン操作でシート利用設定モードを選択した場合は、図４に示すフローチャートにしたがって処理が行われる。すなわち、ユーザがコントロールパネル２でシート利用設定モードを選択すると、その旨がコントロールパネル２から制御部１に通知される。そうすると、制御部１では、画像読取部３を動作させてシート媒体の画像を読み取り、これによって得られた画像データを画像処理部６に転送する（ステップＳ１，Ｓ２）。
【００３２】
処理条件設定用のシート媒体には、ジョブの処理条件をジョブ単位で指定する複数の指定情報が予め画像の１つとして記録（プリント）されている。ジョブの処理条件をジョブ単位で指定するとは、１つのジョブを実行するときに適用される処理条件をまとめて指定することを意味する。したがって、ジョブの処理条件とこれを指定する指定情報は１：１の関係で対応することになる。そのため、シート媒体の画像に複数の指定情報が含まれる場合は、これらの指定情報によって複数のジョブの処理条件が指定されることになる。
【００３３】
図５はジョブの処理条件を設定するために用いられるシート媒体の例を示す図である。図示したシート媒体１８には、複数（図例では４つ）の指定情報１９〜２２が埋め込まれている。第１の指定情報１９は、「Ａ 通常書類のコピーモード」で適用されるジョブの処理条件を指定するもので、第２の指定情報２０は、「Ｂ お客様へ渡すためのコピーモード」で適用されるジョブの処理条件を指定するものである。また、第３の指定情報２１は、「Ｃ 通常書類のスキャンモード」で適用されるジョブの処理条件を指定するもので、第４の指定情報２２は、「Ｄ 写真などをスキャンモード」で適用されるジョブの処理条件を指定するものである。
【００３４】
さらに詳述すると、第１の指定情報２９は、「Ａ 通常書類のコピーモード」で適用されるジョブの処理条件として、処理モードをコピーモード、用紙サイズをＡ４サイズ、レイアウトモードを２ｉｎ１、処理面モードを両面、画質モードを普通画質に設定するように指定する内容となっている。第２の指定情報２０は、「Ｂ お客様へ渡すためのコピーモード」で適用されるジョブの処理条件として、処理モードをコピーモード、用紙サイズをＡ４サイズ、コピー倍率を１００％（等倍）、処理面モードを両面、画質モードを高画質に設定するように指定する内容となっている。第３の指定情報２１は、「Ｃ 通常書類のスキャンモード」で適用されるジョブの処理条件として、処理モードをスキャンモード、色モードを白黒、解像度を２００dpi、画像データのファイル形式をＰＤＦ（Portable Document Format）、画像データの格納場所を格納ＢＯＸ３に設定するように指定する内容となっている。第４の指定情報２２は、「Ｄ 写真などをスキャンモード」で適用されるジョブの処理条件として、処理モードをスキャンモード、色モードをカラー、解像度を６００dpi、画像データのファイル形式をＴＩＦＦ(Tagged Image File Format)、画像データの格納場所を格納ＢＯＸ５に設定するように指定する内容となっている。
【００３５】
各々の指定情報１９〜２２は、例えば２次元の画像パターンからなるコード情報によって構成されている。このコード情報は、例えば、特許第２９５８３９６号公報に記載されているように、階調表現としての万線スクリーン又はドットスクリーンを構成する画素の形態（位置、形状等）を変化させることで、ハーフトーン画像の中にデジタル情報を埋め込む技術を用いて、シート媒体の画像中に埋め込まれるものである。すなわち、指定情報で指定されるジョブの処理条件に関する設定条件を上述した複数の設定項目毎にコード化し、そのコード値（「０」又は「１」）によって画素の位置、配置関係、幾何学的形態、あるいは複数の画素で構成するパターンを変化させて、当該指定情報を埋め込む。このことから指定情報を構成するコード情報は、「０」のコード値と「１」のコート値を適宜組み合わせたデジタル情報となる。このように指定情報をコード情報の形式でシート媒体の画像中に埋め込むことにより、限られた画像領域内で、より多くの設定項目に関する設定条件を指定情報で指定することができる。
【００３６】
上記コード情報の具体例として、図６に示すように、４ドットラインの情報埋め込み部において、線数の異なる２種類の万線状パターンを用い、実際に埋め込みたい情報のコード値（「０」又は「１」）に応じて線数を切り換える。その際、背景部（非情報埋め込み部）は誤差拡散法で階調を表現する。さらには、情報埋め込み部の位置を特定するための位置検出用マークを設ける。これにより、シート媒体上でコード情報（デジタル情報）の埋め込みと豊かな階調表現を両立させることができる。したがって、このコード情報を文字部に重ねて埋め込んだ場合でも、文字部の可読性を良好に維持することができる。特に、上記図５に示すように、各々の指定情報１９〜２２が指定するジョブの処理条件の設定内容や選択用途をそれぞれ文字情報（文字画像）としてシート媒体に記録した場合は、それらの文字情報に重ねて指定情報を埋め込んでも、各々の文字を容易に判読することができる。
【００３７】
なお、指定情報を構成するコード情報は、バーコードなどの可視情報や電子透かし技術を用いた可視又は不可視の埋め込み情報であってもよい。
【００３８】
このようなシート媒体から読み取った画像データ（画像情報）を画像処理部６に転送すると、この画像処理部６では制御部１からの指示にしたがって画像データから複数の指定情報を抽出する（ステップＳ３）。このとき、画像処理部６では、上述のように指定情報を構成するコード情報のコード値（「０」又は「１」）を抽出する。こうして抽出された複数の指定情報を表すコード情報のコード値は画像処理部６から制御部１に送られる（ステップＳ４）。そうすると、制御部１では、画像処理部６から送られたコード情報を検索キーとして記憶部７にアクセスすることにより、このコード情報に対応する設定項目毎の設定条件を記憶部７から読み出す（ステップＳ５）。
【００３９】
記憶部６には、コントロールパネル２でジョブの処理条件を設定するために用意された複数の設定項目に関して、設定項目毎の設定条件とコード情報とを対応付けたテーブルデータが記憶されている。具体的には、例えば図７に示すように、処理モードの設定条件が３つのコード値の組み合わせで指定されるものとすると、プリントモードは「００１」、コピーモードは「０１０」、スキャンモードは「０１１」、ファクスモードは「１００」に対応付けられている。また、色モードの設定条件が３つのコード値の組み合わせで指定されるものとすると、白黒（モノクロ）は「００１」、カラーは「０１０」、自動選択は「０１１」に対応付けられている。他の設定項目（処理面モード、レイアウトモード、用紙）についても、それぞれ３つのコード値の組み合わせにより、設定条件とコード情報とが対応付けられている。各々のコード情報がいずれの設定項目に関する設定条件を示すものであるかについては、例えば、上述したハーフトーン画像中へのデジタル情報の埋め込み技術において、指定情報を表すコード情報に、設定項目を識別するための識別コードを付加し、この識別コードと設定項目とをデータテーブルで対応付けておくことにより認識可能となる。
【００４０】
このようなデータテーブルを参照することにより、制御部１は、画像処理部６で抽出されたコード情報に対応する設定条件を記憶部６から読み出す。例えば、処理モードに関するコード情報が「００１」であれば、これに対応する設定条件として「プリントモード」を読み出す。また、色モードに関するコード情報が「０１０」であれば、これに対応する設定条件として「カラー」を読み出す。こうした設定条件の読み出しは、上述のようにジョブ単位でジョブの処理条件を指定する指定情報ごとに行われる。画像処理部６では複数の指定情報（コード情報）が抽出されるため、この抽出された指定情報に対応して記憶部７から読み出された設定条件に基づいて複数のジョブの処理条件が指定される。そこで制御部１においては、複数の指定情報で指定された複数のジョブの処理条件を選択候補とし、この選択候補の中から１つのジョブの処理条件を選択可能な選択画面をコントロールパネル２の表示部に表示させる（ステップＳ６）。選択画面の表示は、上述のように抽出された複数の指定情報を制御部１がコントロールパネル２に送り、その指定情報にしたがってコントロールパネル２が表示部の表示画面を切り換えることにより行われる。
【００４１】
図８はコントロールパネルに表示される選択画面の例を示す図である。ここで例示した選択画面は、上記図５に示すシート媒体１８の画像を読み取ったときに表示されるものである。まず、図８（Ａ）においては、コントロールパネル２の表示部（タッチパネル式の液晶ディスプレイ）２１に、選択画面として「Ａ」ボタン、「Ｂ」ボタン、「Ｃ」ボタン、「Ｄ」ボタンが表示され、いずれか１つのボタンを押すことにより、このボタンに対応する１つのジョブの処理条件が選択されるようになっている。また、この選択画面では、「Ａ」ボタン及び「Ｂ」ボタンが「コピー」を行うときに選択するボタンで、「Ｃ」ボタン及び「Ｄ」ボタンが「スキャン」を行うときに選択するボタンであることが、それぞれ文字情報で表示されている。このような選択画面をコントロールパネル２の表示部２３に表示することにより、ユーザは表示部２３に表示された選択画面を見て、各々のボタンで選択されるジョブの処理条件がどういう処理モードで設定されるものであるかを認識することができる。また、画像読取部３での読み取りに使用したシート媒体１８（図５参照）の画像と表示部２３に表示された選択画面とを照らし合わせることにより、ユーザは、各々のボタンで選択されるジョブの処理条件がどういう用途で選択され、またどういう内容で設定されたものであるかを認識することができる。
【００４２】
一方、図８（Ｂ）においては、コントロールパネル２の表示部（タッチパネル式の液晶ディスプレイ）２１に、選択画面として「Ａ」ボタン、「Ｂ」ボタン、「Ｃ」ボタン、「Ｄ」ボタンが表示され、いずれか１つのボタンを押すことにより、このボタンに対応する１つのジョブの処理条件が選択されるようになっている。また、この選択画面では、「Ａ」ボタンが「通常書類のコピーモード」を行うときに選択するボタン、「Ｂ」ボタンが「お客様へ渡すためのコピーモード」を行うときに選択するボタン、［Ｃ］ボタンが「通常書類のスキャンモード」を行うときに選択するボタン、「Ｄ」ボタンが「写真などをスキャンモード」を行うときに選択するボタンであることが、それぞれ文字情報で表示されている。このような選択画面をコントロールパネル２の表示部２３に表示することにより、ユーザは表示部２３に表示された選択画面を見て、各々のボタンで選択されるジョブの処理条件がどういう用途で選択されるものであるかを認識することができる。また、画像読取部３での読み取りに使用したシート媒体（図５参照）の画像と表示部２３に表示された選択画面とを照らし合わせることにより、ユーザは、各々のボタンで選択されるジョブの処理条件がどういう内容で設定されたものであるかを認識することができる。
【００４３】
また、図８（Ｃ）においては、コントロールパネル２の表示部（タッチパネル式の液晶ディスプレイ）２１に、選択画面として「Ａ」ボタン、「Ｂ」ボタン、「Ｃ」ボタン、「Ｄ」ボタンが表示され、いずれか１つのボタンを押すことにより、このボタンに対応する１つのジョブの処理条件が選択されるようになっている。また、この選択画面では、「Ａ」ボタンが「通常書類のコピーモード」を行うときに選択するボタン、「Ｂ」ボタンが「お客様へ渡すためのコピーモード」を行うときに選択するボタン、［Ｃ］ボタンが「通常書類のスキャンモード」を行うときに選択するボタン、「Ｄ」ボタンが「写真などをスキャンモード」を行うときに選択するボタンであることが、それぞれ文字情報で表示されている。さらに、この選択画面では、「Ａ」ボタンで選択されるジョブの処理条件が「Ａ４サイズ、２ｉｎ１、両面、普通画質」の内容で設定され、「Ｂ」ボタンで選択されるジョブの処理条件「Ａ４サイズ、１００％、両面、高画質」の内容で設定され、［Ｃ］ボタンで選択されるジョブの処理条件が「白黒、解像度２００dpi、ＰＤＦ、格納ＢＯＸ３」の内容で設定され、「Ｄ」ボタンで選択されるジョブの処理条件が「カラー、解像度６００dpi、ＴＩＦＦ、格納ＢＯＸ５」の内容で設定されることが、それぞれ文字情報で表示されている。このような選択画面をコントロールパネル２の表示部２３に表示することにより、ユーザは表示部２３に表示された選択画面を見て、各々のボタンで選択されるジョブの処理条件がどういう用途で選択されるものであるかに加えて、どういう内容で設定されたものであるかを認識することができる。
【００４４】
このようにしてコントロールパネル２の表示部２３に選択画面を表示することにより、ユーザは、４つのボタンのうちの１つを選択（押下）するだけで、面倒な設定操作なしにジョブの処理条件を設定することができる。また、表示部２３には複数のジョブの処理条件に対応する４つのボタンが同時に表示されるため、予め定型業務などで使用する複数のジョブの処理条件を指定する複数の指定情報をシート媒体にまとめて記録しておくことにより、画像処理装置を使用するユーザは、その都度、コントロールパネル２でジョブの処理条件を設定しなくても、所望の処理内容に合わせてワンタッチ（１回のボタン操作）でジョブの処理条件を設定することができる。これにより、ユーザは、画像処理装置を使用するたびに、自身が所望する処理内容に適したジョブの設定条件を猥雑な設定操作なしに設定することができる。また、シート媒体の画像に含まれる複数の指定情報を読み取って、その画像情報から抽出した複数の指定情報が指定する複数のジョブの処理条件を選択候補とした選択画面を表示部２３に表示するため、１枚のシート媒体を汎用的に使用してジョブの処理条件を設定することができる。その結果、１枚（又は複数枚）のシート媒体を繰り返し使用してジョブの処理条件を設定することができる。したがって、画像処理装置の操作性を向上させることができる。
【００４５】
また、本発明の実施形態に係る画像処理装置の応用例として、ユーザの入力操作によってコントロールパネル２で設定されたジョブの処理条件を、コントロールパネル２からの通知にしたがって制御部１で認識し、この認識したジョブの処理条件をジョブ単位で指定する複数の指定情報を含む画像データを制御部２が記憶部７から読み出して画像形成部４に送り、この画像形成部で上記複数の指定情報を含む画像を用紙等のシート媒体にプリント出力する構成を採用することにより、自装置で出力したシート媒体を用いてジョブの処理条件を簡易に設定することができる。また、ユーザの入力操作によってコントロールパネル２で設定されたジョブの処理条件のうち、例えば予め設定された基準レベルよりも使用頻度の高いジョブの処理条件を記憶部７に記憶しておき、この記憶したジョブの処理条件をジョブ単位で指定する複数の指定情報（コード情報）を含む画像データを上記同様に制御部２が記憶部７から読み出して画像形成部４に送り、この画像形成部で上記複数の指定情報を含む画像を用紙等のシート媒体にプリント出力する構成を採用することも可能である。また、ユーザは、シート媒体の画像に含まれる複数の指定情報の内容を、自身の業務内容に合わせて任意に変更することができる。
【図面の簡単な説明】
【００４６】
【図１】本発明の実施形態に係る画像処理装置の構成例を示すブロック図である。
【図２】本発明の適用対象となる画像処理装置の外観を示す図である。
【図３】本発明の実施形態に係る画像処理装置において、コントロールパネルを用いてジョブの処理条件を設定する場合の処理の流れを示す図である。
【図４】本発明の実施形態に係る画像処理装置において、シート媒体を用いてジョブの処理条件を設定する場合の処理の流れを示すフローチャートである。
【図５】ジョブの処理条件を設定するために用いられるシート媒体の例を示す図である。
【図６】情報埋め込み技術の具体例を説明する図である。
【図７】設定項目毎の設定条件とコード情報との対応例を示す図である。
【図８】コントロールパネルに表示される選択画面の例を示す図である。
【符号の説明】
【００４７】
１…制御部、２…コントロールパネル、３…画像読取部、４…画像形成部、５…通信部、６…画像処理部、７…記憶部、１８…シート媒体、１９，２０，２１，２２…指定情報（コード情報）
【図１】
2005316053.tif 000003
【図２】
2005316053.tif 000004
【図３】
2005316053.tif 000005
【図４】
2005316053.tif 000006
【図５】
2005316053.tif 000007
【図６】
2005316053.tif 000008
【図７】
2005316053.tif 000009
【図８】
2005316053.tif 000010